(57)【要約】【課題】    雨水等が付着したシャッター扉体がシャッターケース内に巻取られても、その雨水がシャッターケース内に溜まらなくすると共に、ケース内に存在する電動モータ等機構部品の水濡れによる故障、補強材に錆が発生する等の不具合を防止するシャッターケースを提供する。【解決手段】    シャッターケース３の内部にシャッター扉体２に付着して滴下する水を受けると共に、水を外部に排水する遮水板３６を設け、該遮水板３６はシャッターケース３の幅方向略全域に設けると共に、その下端をシャッター扉体出入口３５内に位置させる。【選択図】        図４
2007262846.tif 000002
【特許請求の範囲】
【請求項１】
複数のスラットを相互回動自在に連結してシャッター扉体を形成し、扉開口部の上部に設置した巻取りドラムにシャッター扉体を巻取りあるいは巻戻し可能とすることにより扉開口部を開閉自在とし、巻取ったシャッター扉体を収容するシャッターケースであって、該シャッターケースの内部に巻取ったシャッター扉体から滴下する水を受けると共に、受けた水を外部に排水する遮水板を設けたことを特徴とするシャッターケース。
【請求項２】
遮水板はシャッターケースの幅方向略全域に設けると共に、その下端をシャッター扉体出入口内に位置させたことを特徴とする請求項１に記載のシャッターケース。
【請求項３】
シャッターケースの内部に巻取りドラムを駆動する電動モータを配置し、遮水板は電動モータとシャッター扉体の間に設けたことを特徴とする請求項１または２に記載のシャッターケース。
【請求項４】
遮水板は巻取りドラムに沿って湾曲形成したことを特徴とする請求項１乃至３の何れかに記載のシャッターケース。
【発明の詳細な説明】
【技術分野】
【０００１】
この発明は、複数のスラットを相互回動自在に連結したシャッター扉体を、扉開口部の上部に設けたシャッターケース内に巻取り収納、あるいはシャッターケースから巻戻し可能としたシャッター装置であって、雨水が付着したシャッター扉体が巻取られ、雨水がシャッターケース内に持ち込まれることによる不具合を解消できるシャッターケースに関するものである。
【背景技術】
【０００２】
従来、複数のスラットを相互回動自在に連結してシャッター扉体を形成し、このシャッター扉体を扉開口部の上部に設けた巻取りドラムに巻取り可能とすることにより、シャッター扉体によって扉開口部を開閉可能としたシャッター装置が知られている。
さらに、シャッター扉体の上端を連結した巻取りドラムを電動モータ等の駆動装置を用いて回動することにより、シャッター扉体を上下動作する電動シャッターが知られている。通常、巻取りドラムと駆動装置は、扉開口部の上部に設けたシャッターケース内に配置されている。
【０００３】
特許文献１には、シャッターケース内への雨水の浸入を防止するために、シャッターケースの上面部を構成するケース上板と、シャッターケースの正面部及び下面部を構成するケース下板と、側面部を構成するサイドカバーによってシャッターケースを構成し、ケース上板とケース下板を係止させたシャッターケースが開示されている。
特許文献１によれば、シャッターケースは板材を溶接あるいはビス止等により貼り合せて形成したものでないので、隙間からケース内への雨水の侵入を防止でき、ケース底面に雨水が溜まることによる不具合を防止することができるものである。
【０００４】
しかしながら、シャッターケースに降り注ぐ雨水の浸入は防止できるものの、降雨時に閉成状態としていたシャッター扉体に雨水が付着し、その後シャッター扉体を巻取った際、シャッター扉体に付着していた雨水がシャッターケース内に持ち込まれ、その雨水がシャッターケース内で滴下し、駆動装置（電動モータ等）が水濡れして故障の原因となったり、シャッターケース内部に雨水が溜まり、その雨水が長時間にわたって扉開口部から滴り落ちたり、シャッターケース内部の鉄製補強材に錆が発生する等の不具合が生じるものであった。
【０００５】
特許文献２に示されるシャッターケースも、シャッターケースを形成する複数の板材（スラット）間に紐状弾性体を介在することによって、隣接する板材の接合部から雨水の侵入を防止するものであり、シャッター扉体に付着した雨水がシャッターケース内に持ち込まれた場合には、特許文献１と同様の不具合が生じるものである。
【０００６】
【特許文献１】特開平１０−２８０８３５号公報
【特許文献２】特許第３２４１３１７号公報
【発明の開示】
【発明が解決しようとする課題】
【０００７】
本発明の目的は、雨水等が付着したシャッター扉体がシャッターケース内に巻取られても、その雨水がシャッターケース内に溜まらなくすると共に、ケース内に存在する電動モータ等の機構部品の水濡れによる故障、補強材の錆の発生、電気部品からの漏電等による不具合を防止することのできるシャッターケースを提供することにある。
【課題を解決するための手段】
【０００８】
本発明者等は、このような事情に鑑み鋭意検討を重ねた結果、複数のスラットを相互回動自在に連結してシャッター扉体を形成し、扉開口部の上部に設置した巻取りドラムにシャッター扉体を巻取りあるいは巻戻し可能とすることにより扉開口部を開閉自在とし、巻取ったシャッター扉体を収容するシャッターケースであって、該シャッターケースの内部に巻取ったシャッター扉体から滴下する水を受けると共に、受けた水を外部に排水する遮水板を設けたことによって、所期の目的を達成したものである。
【０００９】
さらに請求項２に記載のシャッターケースは、遮水板はシャッターケースの幅方向略全域に設けると共に、その下端をシャッター扉体出入口内に位置させたことによって、シャッターケース内に持ち込まれた雨水をシャッター扉体出入口から排水でき、雨水を排水するための専用排水経路を設ける必要が無い。
【００１０】
請求項３に記載のシャッターケースは、シャッターケースの内部に巻取りドラムを駆動する電動モータを配置し、遮水板は電動モータとシャッター扉体の間に設けたので、電動モータに水がかからず、水濡れによる故障を防止することができる。
【００１１】
請求項４記載のシャッターケースは、遮水板は巻取りドラムに沿って湾曲形成したことにより、巻き取られたシャッター扉体の外縁に沿って遮水板を効率良く配置できるので、シャッターケースを大型化することなく配置することができる。
【発明の効果】
【００１２】
本発明のシャッターケースによれば、シャッター扉体から滴下する水を受け、受けた水を外部に排水する遮水板を設けたので、シャッター扉体に付着してシャッターケース内に持ち込まれた雨水がケース内に溜まらず、ケース内に存在する電動モータ等の機構部品の水濡れによる故障、補強材の錆発生、電気部品からの漏電等を未然に防止することができる。
【発明を実施するための最良の形態】
【００１３】
以下、本発明を実施するための最良の形態を実施例に基づき説明する。
図１乃至６は本発明シャッターケースの実施例であり、図中１はシャッター装置を表わし、シャッター装置１は扉開口部Ｒを開閉自在とするシャッター扉体２と、扉開口部Ｒの上部に設けられシャッター扉体２が巻取り収容されるシャッターケース３と、扉開口部Ｒの側部に設けられシャッター扉体２の側縁が嵌合するガイドレール４とから構成されている。
【００１４】
シャッター扉体２は、複数のスラット５を相互回動自在に連結して形成されている。スラット５は上下縁に雄型継手５１と雌型継手５２が形成され、これら雄型継手５１あるいは雌型継手５２が上下に隣接するスラット５の雄型継手５１あるいは雌型継手５２と係合し、隣接するスラット５は継手連結部を中心として相互回動自在に連結される。
【００１５】
シャッターケース３は、複数の板材３１を連結して断面略六角形に形成されている。また、断面Ｃ字状の補強部材３２がシャッターケース３内部に配置され、該補強部材３２に板材３１を固定している。シャッターケース３内部には軸回転可能な巻取りドラム３３が断面略中央部に配置されており、巻取りドラム３３の一側にはスプロケット（不図示）が軸心を一致させて固着されている。さらに、シャッターケース３内部の一側位置には電動モータ３４が配置されており、電動モータ３４の出力軸にもスプロケットが固着されている。巻取りドラム３３のスプロケットと電動モータ３４のスプロケットにチェーンＣを掛け渡し、電動モータ３４を駆動することにより、巻取りドラム３３を軸回転することができる。
【００１６】
巻取りドラム３３の外周には、シャッター扉体２の上端に位置するスラット５が連結されており、巻取りドラム３３を軸回転することにより、シャッター扉体２が巻取りドラム３３によって巻取りあるいは巻戻し可能となっている。
シャッターケース３の下面には、シャッター扉体出入口３５が設けられ、巻取りドラム３３に巻取りあるいは巻戻しされるシャッター扉体２が扉体出入口３５から出入自在となっている。
【００１７】
シャッターケース３内部の補強部材３２Ａと３２Ｂ間に、遮水板３６が架設され、遮水板３６はシャッターケース３の幅方向略全域に渡って設けられている。遮水板３６は、ポリカーボネート樹脂によって形成された弾性変形可能な平板であり、遮水板３６の上縁には断面Ｌ字形の固定ブラケット３６Ａが設けられ、該固定ブラケット３６Ａが補強部材３２Ａに螺子止めされる。一方、遮水板３６の下縁は、補強部材３２Ｂに固着された受止めブラケット３６Ｂの内側と補強部材３２Ｂの上面との隙間に差し込まれ、扉体出入口３５内に位置している。
なお、遮水板３６は弾性変形可能なため、補強部材３２Ａと３２Ｂ間を巻取りドラム３３に沿って湾曲形成して設けられ、シャッターケース３内に無駄なデッドスペースを生じさせず、シャッターケース３の小型化に寄与している。
【００１８】
図中３７は、シャッターケース３内に設けられたリミットスイッチであり、シャッター扉体２の巻取り動作に異常が発生した際に、リミットスイッチ３７にスラット５が当接して電動モータ３４の駆動が停止する。リミットスイッチ３７Ａが位置する部位において、遮水板３６を切り欠いており、切欠孔を挿通してリミットスイッチ３７Ａが上方に突出している。当該切欠孔から水の浸入を阻止するため、スポンジ等のシール材３６Ｃによって切欠孔がシールされている。
なお、本実施例におけるシャッター扉体２は、巻取りドラム３３に巻き取られた際に、巻き層が多角形状となるように、各スラット５の長さが設定されている。
ガイドレール４は扉開口部Ｒの両側部に設けられ、シャッター扉体２の両側縁がガイドレール４内に嵌合し、シャッター扉体２がガイドレール４に沿って上下動作するよう移動規制されている。
【００１９】
以上の構成からなるシャッターケース３によれば、扉開口部Ｒをシャッター扉体２によって閉成している際に降雨すると、雨水がシャッター扉体２の表面に付着する。その後雨水が付着したシャッター扉体２を巻き上げると、シャッターケース３内に雨水が持ち込まれ、シャッター扉体２の表面から雨水が滴下する。雨水は遮水板３６の上面に滴下し、湾曲した遮水板３６の下縁に向けて流れ落ち、扉体出入口３５内に位置する遮水板３６の下縁から雨水が外部に排水できる。よって、シャッターケース３内に持ち込まれた雨水は、シャッターケース３内部に溜まることがなく、また電動モータ等の機構部品が水濡れしないので、錆の発生あるいは機構部品の故障を未然に防止することができる。
【００２０】
なお、上記実施例において、遮水板３６に滴下した雨水はシャッター扉体２の出入口３５から排水する構成としたが、シャッター扉体２の一側部に雨水を集めて、ガイドレール４に沿って、あるいは樋を設けて排水する構造としても構わない。また遮水板３６は、ポリカーボネート樹脂の平板によって形成したが、アルミニウム、ステンレス鋼等の金属材料を用いて形成しても構わない。
【図面の簡単な説明】
【００２１】
【図１】本発明シャッターケースを用いたシャッター装置の正面図
【図２】図１におけるシャッター装置の左側面図
【図３】シャッター扉体を巻き上げた状態におけるシャッター装置の正面図
【図４】図１におけるＡ−Ａ線断面図
【図５】図４における要部拡大図
【図６】スラットの側面図
【符号の説明】
【００２２】
１      シャッター装置
２      シャッター扉体
３      シャッターケース
３２      補強部材
３３      巻取りドラム
３４      電動モータ
３５      扉体出入口
３６      遮水板
【図１】
2007262846.tif 000003
【図２】
2007262846.tif 000004
【図３】
2007262846.tif 000005
【図４】
2007262846.tif 000006
【図５】
2007262846.tif 000007
【図６】
2007262846.tif 000008